(57)【要約】【課題】操作部及び表示部を用いた検査と、別の操作部及び別の表示部を用い診断とを並行させたときにも、各表示部に目的に沿った付帯画像だけを表示可能とした医用画像処理装置を提供する。【解決手段】医用装置により取得された表示用画像データを記憶する画像データ記憶部と、複数の操作部と、前記複数の操作部にそれぞれ対応付けられた複数の表示部と、前記操作部から描画のための入力を受けて、前記表示用画像データに基づく画像を表示しているときに、前記入力に応じて付帯画像を作成し、該付帯画像と前記表示用画像データに基づく画像とを重ね合わせて、前記入力を行った操作部に対応付けられた前記表示部に表示させる表示制御部と、を有する。【選択図】図１
2010088768.tif 000002
【特許請求の範囲】
【請求項１】
医用装置により取得された表示用画像データを記憶する画像データ記憶部と、
複数の操作部と、
前記複数の操作部にそれぞれ対応付けられた複数の表示部と、
前記操作部から描画のための入力を受けて、前記表示用画像データに基づく画像を表示しているときに、前記入力に応じて付帯画像を作成し、該付帯画像と前記表示用画像データに基づく画像とを重ね合わせて、前記入力を行った操作部に対応付けられた前記表示部に表示させる表示制御部と、
を有することを特徴とする医用画像処理装置。
【請求項２】
前記画像データ記憶部は、前記操作部からの入力に応じて作成された前記付帯画像データを記憶する付帯画像データ用記憶領域を有することを特徴とする請求項１に記載の医用画像処理装置。
【請求項３】
前記操作部から描画のための入力を受けて描画条件を取得する条件取得部を有し、
前記画像データ記憶部は、前記複数の表示部にそれぞれ対応して設けられ、前記取得された前記描画条件としての付帯情報を前記表示部毎に記憶する記憶領域を有し、
前記描画条件としての付帯情報を、前記入力を行った操作部に対応付けられた前記表示部に対する記憶領域に記憶させるデータ制御部を有することを特徴とする請求項１又は請求項２のいずれかに記載の医用画像処理装置。
【請求項４】
前記画像データ記憶部は、予め定めたアドレスに情報を記憶する第１記憶領域と、設定可能なアドレスに情報を記憶する第２記憶領域とを有し、
前記第１記憶領域は、前記付帯画像データを記憶し、
前記第２記憶領域は、前記描画条件としての付帯情報を記憶することを特徴とする請求項２又は請求項３のいずれかに記載の医用画像処理装置。
【請求項５】
前記画像データ記憶部は、予め定めたアドレスに情報を記憶する第１記憶領域を有し、
前記第１記憶領域は、前記描画条件としての付帯情報を記憶することを特徴とする請求項３に記載の医用画像処理装置。
【請求項６】
前記描画条件としての前記付帯情報は、線の太さ、線の種類、線の色、座標及び図形の種類を含む線分や図形を描画させるための線分等描画情報、並びに、文字や記号の書式を含む文字や記号を表示させるための文字等表示情報を有することを特徴とする請求項３から請求項５のいずれかに記載の医用画像処理装置。
【発明の詳細な説明】
【技術分野】
【０００１】
この発明は、表示用画像と付帯画像とを重ね合わせて表示部に表示させる医用画像処理装置に関する。
【背景技術】
【０００２】
従来、この種の医用画像処理装置としては、被写体を撮影するとき、受光部の受光結果から特定情報を抽出し、その抽出された特定情報にて特定される付帯画像と撮影画像である表示用画像とを重ね合わせて表示部に表示させる（例えば、特許文献１）。
【０００３】
また、医用画像処理装置としては、例えば、検査室には、検査室用の操作部と表示部とが対応して設けられ、また、操作室には、操作室用の操作部と表示部とが対応して設けられている（例えば、特許文献２）。このような医用画像処理装置では、例えば、患者に対して手技を施す実施医は、検査室用の操作部と表示部とを用いることにより、手技中の当該患者から収集した表示用画像に対して任意の付帯画像を作成する。一方、実施医を支援する技師は、操作室内用の操作部と表示部とを用いることにより、患者に関与する付帯画像と、患者には無関係な画像を作成する。
【０００４】
【特許文献１】特開２００６−２２９７４３号
【特許文献２】特開２００３−２６５４５４号
【発明の開示】
【発明が解決しようとする課題】
【０００５】
検査を確実にかつ効率的に行うためには、検査室用の表示部には、常に実施医の検査に着目した画像だけが表示されるべきである。また、診断を確実にかつ効率的に行うためには、操作室用の表示部には、常に技師の診断に着目した画像だけが表示されるべきである。
【０００６】
しかしながら、特許文献２に係る医用画像処理装置では、実施医と技師とが、互いに異なる目的で同一の表示用画像に対する付帯画像を作成可能であるため、目的の異なる付帯画像が、検査室用の表示部と操作室用の表示部とに同時に表示されてしまう。各表示部に表示された目的の異なる付帯画像は実施医や技師にとって邪魔となり、検査や診断などをする際に支障となるという問題点があった。
【０００７】
また、実施医が治療目的で作成した付帯画像が、技師が作成した付帯画像で上書きされてしまう。反対に、技師が診断記録目的で作成した付帯画像が、実施医が作成した付帯画像で上書きされてしまう。各目的に沿った付帯画像が予期しない他の付帯画像で上書きされることにより、同じく、検査や診断などをする際に支障となるという問題点があった。
【０００８】
この発明は、上記の問題を解決するものであり、操作部及び表示部を用いた検査と、別の操作部及び別の表示部を用い診断とを並行させたときにも、各表示部に目的に沿った付帯画像だけを表示可能とした医用画像処理装置を提供することを目的とする。
【課題を解決するための手段】
【０００９】
上記課題を解決するため、この発明は、複数の操作部と複数の表示部とを対応付けることに着目した。
具体的に、この発明の第１の形態は、医用装置により取得された表示用画像データを記憶する画像データ記憶部と、複数の操作部と、前記複数の操作部にそれぞれ対応付けられた複数の表示部と、前記操作部から描画のための入力を受けて、前記表示用画像データに基づく画像を表示しているときに、前記入力に応じて付帯画像を作成し、該付帯画像と前記表示用画像データに基づく画像とを重ね合わせて、前記入力を行った操作部に対応付けられた前記表示部に表示させる表示制御部と、を有することを特徴とする医用画像処理装置である。
【発明の効果】
【００１０】
この発明の第１の形態によると、操作部の入力に応じて作成された付帯画像を、その操作部に対応付けられた表示部に表示させ、他の表示部に表示させないようにしたので、各表示部には常に目的に沿った付帯画像だけを表示させることが可能となる。
【発明を実施するための最良の形態】
【００１１】
（構成）
この発明の一実施形態に係る医用画像処理装置の構成について図１を参照して説明する。図１は、医用画像処理装置の機能ブロック図である。
【００１２】
医用画像処理装置は、図外の医用装置により取得された表示用画像データを記憶する画像データ記憶部１０と、複数の操作部と、複数の操作部にそれぞれ対応付けられた複数の表示部と、操作部から描画のための入力を受けて、表示用画像データに基づく画像を表示しているとき、入力に応じて付帯画像を作成し、付帯画像と表示用画像データに基づく画像とを重ね合わせて、入力を行った操作部に対応付けられた表示部に表示させる表示制御部４０とを有する。表示制御部４０は、操作部から描画のための入力を受けて描画条件を取得する条件取得部４５を有する。なお、以下の説明では、表示用画像データに基づく画像を、単に「表示用画像」と記載する。
【００１３】
操作部は、キーボード及びマウスを含む第１操作部２１と、ジョイスティックである第２操作部２２とを有する。表示部は、第１操作部２１に応付けられた第１表示部３１と、第２操作部２２に対応付けられた第２表示部３２とを有する。
【００１４】
次に、画像データ記憶部１０について図１から図３を参照にして説明する。図２は画像データ記憶部の構成図である。図３は、表示用画像データ及び付帯画像データを記憶するときの説明図である。
【００１５】
なお、説明の都合上、描画条件としての付帯情報を付帯情報（描画条件）と記載する。また、描画条件を除く付帯情報を付帯情報（描画条件を除く）と記載する。さらに、描画条件を含む付帯情報を付帯情報（描画条件を含む）と記載する。
【００１６】
画像データ記憶部１０は、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）で画像データを管理する。ＤＩＣＯＭでは、管理情報をヘッダに書き込む。ヘッダには、表示用画像データ、付帯情報（描画条件を除く）、及び付帯画像データがどのアドレス（番地）から始まるかの記載がされている。
【００１７】
以上のように、画像データ記憶部１０は、ＤＩＣＯＭで管理される情報を、予め定められたアドレスに記憶する記憶領域を有する。一方、画像データ記憶部１０は、ＤＩＣＯＭで管理されない情報を、メーカーやユーザが設定可能なアドレスに記憶する記憶領域も有する。
【００１８】
以下、画像データ記憶部１０を説明する上で、ＤＩＣＯＭで管理される情報を記憶する記憶領域（予め定められたアドレスに記憶する記憶領域）であるか、若しくは、ＤＩＣＯＭで管理されない情報を記憶する記憶領域（設定可能なアドレスに記憶する記憶領域）である否かを明確にする。
【００１９】
画像データ記憶部１０は、付帯情報（描画条件を含む）を記憶する付帯情報記憶部１０１と、表示用画像データであるピクセルデータを記憶する画素データ記憶部１０２とを有している。
【００２０】
付帯情報記憶部１０１は、第１記憶領域１１０と第２記憶領域１２０とを有している。第１記憶領域１１０は、操作部からの入力に応じて作成された付帯画像データを記憶するための付帯画像データ用記憶領域１１１を有している。線の太さ１ｍｍの点線である付帯画像データを記憶する付帯画像データ用記憶領域１１１を図３に示す。
【００２１】
付帯画像データ用記憶領域１１１には、表示部を識別するための識別情報を含む付帯画像データが記憶される。表示制御部４０は、識別情報に基づき、付帯画像データ用記憶領域１１１から付帯画像データを取得し、付帯画像と表示用画像とを重ね合わせた画像を作成し、所定の第１表示部３１又は第２表示部３２に表示させる。
【００２２】
画素データ記憶部１０２は、予め定めたアドレスに表示用画素データを記憶する。また、第１記憶領域１１０は、予め定めたアドレスに付帯情報（描画条件を除く）及び付帯画像データを記憶する。ここでの付帯情報（描画条件を除く）は、検査機械、検査日時、病院名や患者の名前や誕生日などの患者情報、及び、検査の種類、検査部位、Ｆｉｅｌｄ  ｏｆ  Ｖｉｅｗ、患者のポジション、スライスの厚み、ピクセルデータの間隔などの検査情報を含む。
【００２３】
次に、第２記憶領域１２０について図３及び図４を参照にして説明する。図４は、画像データ記憶部及び表示制御部の機能ブロック図である。
【００２４】
ここで、付帯情報（描画条件）には、線の太さ、線の種類、線の色、座標及び図形の種類を含む線分や図形を描画させるための線分等描画情報、並びに、文字や記号のフォント大きさ、及び色を含む文字や記号を表示させるための文字等表示情報を有する。線の種類、線の太さ、開始座標、終了座標等の付帯情報（描画条件）を記憶する第２記憶領域１２０を図３に示す。また、第１表示部用記憶領域１２１と第２表示部用記憶領域１２２とを有している第２記憶領域１２０を図４に示す。
【００２５】
第１表示部用記憶領域１２１は、第１表示部３１に対応して設けられ、ヘッダ１に記載されたアドレスの記憶領域に第１表示部用付帯情報（描画条件）を記憶する。第２表示部用記憶領域１２２は、第２表示部３２に対応して設けられ、ヘッダ２に記載されたアドレスの記憶領域に第２表示部用付帯情報（描画条件）を記憶する。
【００２６】
以上に、画像データ記憶部１０の構成について説明したが、以下のように構成しても良い。
【００２７】
例えば、付帯画像データ用記憶領域１１１が、複数の表示部（第１表示部３１、第２表示部３２）に対応して設けられ、表示制御部４０が、その操作部に対応付けられた表示部に対する記憶領域に付帯画像データを記憶させても良い。
【００２８】
また、例えば、付帯情報（描画条件）を第１表示部用記憶領域１２１又は第２表示部用記憶領域１２２に記憶させずに、第１記憶領域１１０の予め定めたアドレスに記憶させても良い。
【００２９】
次に、表示制御部４０の構成について図１から図４を参照にして説明する。第１操作部２１から描画のための入力情報は、第１入力端末４１から表示制御部４０に送られる。また、第２操作部２２から描画のための入力情報は、第２入力端末４２から表示制御部４０に送られる。
【００３０】
表示制御部４０は、入力情報に含まれた入力元の情報に基づき、入力元である操作部を判別する端末識別部４３と、入力情報に基づき、イベントを発生させるイベント発生制御部４４と、入力情報に基づき、付帯情報（描画条件）を取得する条件取得部４５と、取得した付帯情報（描画条件）を、第１表示部用記憶領域１２１又は第２表示部用記憶領域１２２に記憶させるデータ制御部４６とを有している。ここで、イベントとは、操作部から表示制御部４０に送られる情報をいい、例えば、第１操作部２１であるマウスのボタンを押した、マウスのボタンを離した、マウスのボタンを押したままカーソルを移動した等の情報を含む。
【００３１】
条件取得部４５は、第１操作部２１から描画のための入力を受けて、第１表示部用付帯情報（描画条件）を取得する。また、第２操作部２２から描画のための入力を受けて、第２表示部用付帯情報（描画条件）を取得する。
【００３２】
データ制御部４６は、表示モードに基づき、第１操作部２１に対応付けられた第１表示部用記憶領域１２１に第１表示部用付帯情報（描画条件）を記憶させる。また、表示モードに基づき、第２操作部２２に対応付けられた第２表示部用記憶領域１２２に第２表示部用付帯情報（描画条件）を記憶させる。
【００３３】
このように、第１操作部２１と第１表示部用記憶領域１２１との対応付け、また、第２操作部２２と第２表示部用記憶領域１２２との対応付けは、操作部から描画のための入力を受けて表示制御部４０により定められた表示モードに基づく。
【００３４】
表示制御部４０は、以上のように付帯情報（描画条件）を記憶させると共に、付帯情報（描画条件）から付帯画像データを作成し、作成した付帯画像データを付帯画像データ用記憶領域１１１に記憶させる。このような表示制御部４０の機能は、アプリケーションソフトウェアをメモリ（図示省略）に展開することにより、実行される。
【００３５】
また、表示制御部４０は、作成した付帯画像と表示用画像とを重ね合わせた画像を作成する。入力元である操作部入力元が第１操作部２１であるとき、表示制御部４０は、表示モードを定め、定めた表示モードにより作成された付帯画像を第１表示部用付帯画像とし、その第１表示部用付帯画像と表示用画像とを重ね合わせる。入力元が第２操作部２２であるとき、表示制御部４０は、表示モードを定め、定めた表示モードにより作成された付帯画像を第２表示部用付帯画像とし、その第２表示部用付帯画像と表示用画像とを重ね合わせる。なお、表示制御部４０は、画素データ記憶部１０２から表示用画像データを取得する。表示制御部４０は、重ね合わせた画像データを、前記定めた表示モードに基づき画面表示用データバッファ５１又は画面表示用データバッファ５２に記憶させ、重ね合わせた画像を第１表示部３１又は第２表示部３２に出力させる。
【００３６】
このように、第１操作部２１と第１表示部３１との対応付け、また、第２操作部２２と第２表示部３２との対応付けは、操作部から描画のための入力を受けて表示制御部４０により定められた表示モードに基づく。
【００３７】
以上のように、操作部から描画のための入力を表示制御部４０が受けたとき、表示制御部４０は、付帯情報（描画条件）を作成し、付帯情報（描画条件）に基づき、付帯画像データを作成し、付帯画像と表示用画像と重ね合わせた画像を表示部に表示させる。
【００３８】
付帯画像と表示用画像と重ね合わせた画像を表示部に表示させる他の手段としては、例えば、操作部により付帯画像を表示する指示を表示制御部４０が受けたとき、表示制御部４０は、第１表示部用記憶領域１２１又は第２表示部用記憶領域１２２に記憶された付帯情報（描画条件）を取得し、付帯情報（描画条件）に基づき、付帯画像データを作成し、表示用画像と重ね合わせた画像を表示部に表示させる。
【００３９】
また、他の手段としては、例えば、操作部による付帯画像を表示する指示を受けたとき、表示制御部４０は、付帯画像データ用記憶領域１１１に記憶された付帯画像データを取得し、表示用画像と重ね合わせ、表示部に表示させる。
【００４０】
（動作）
次に、第１操作部２１から描画のための入力を受けた場合の表示制御部４０の動作について図５を参照にして説明する。図５は表示制御部４０の動作を示すフロー図である。
【００４１】
第１入力端末４１又は第２入力端末４２に描画のための入力があった場合（ステップＳ１０１）、端末識別部４３は、入力元である操作部を判別する（ステップＳ１０２）。操作部の判別は、入力された情報に付された操作部の識別情報に基づく。条件取得部４５は、操作部から描画のための入力を受けて、付帯情報（描画条件）を取得する（ステップＳ１０３）。
【００４２】
このとき、表示制御部４０の表示モードを定める。表示制御部４０は、表示モードの定めにより、付帯情報（描画条件）を第２記憶領域１２０の第１表示部用記憶領域１２１又は第２表示部用記憶領域１２２に記憶させる。また、付帯情報（描画条件）に基づき、付帯画像データを作成する（ステップＳ１０４）。
【００４３】
次に、表示制御部４０は、画素データ記憶部１０２から表示用画像データを取得する。表示制御部４０は、表示用画像と付帯画像とを重ね合わせた画像を作成する（ステップＳ１０５）。表示制御部４０は、表示モードの定めにより、重ね合わせた画像データを画面表示用データバッファ５１又は画面表示用データバッファ５２に記憶させ、第１表示部３１又は第２表示部３２に出力する（ステップＳ１０６）。
【００４４】
以上は、表示制御部４０が、付帯情報（描画条件）に基づき付帯画像データを作成し、付帯画像と表示用画像とを重ね合わせた画像を作成し、その画像を表示部に表示させることを説明した。これと並行して、表示制御部４０は、付帯画像データを付帯画像データ用記憶領域１１１に表示させる。
【００４５】
なお、表示制御部４０が付帯情報（描画条件）に基づき付帯画像データを作成するステップＳ１０４において、表示制御部４０が付帯情報（描画条件）を変更し、付帯画像データを変更可能である。例えば、操作部による描画を変更する入力を表示制御部４０が受けたとき、表示制御部４０は、例えば線の太さ１ｍｍの点線である図３に示す付帯情報（描画条件）を、線の太さ２ｍｍの実線に変更する。表示制御部４０は、変更した付帯情報（描画条件）に基づいて、付帯画像を作成し、その付帯画像と表示用画像とを重ね合わせた画像を作成し、表示部に表示させる。
【００４６】
次に、第１操作部２１による付帯画像を表示する指示を受けた場合の表示制御部４０の動作について図６を参照にして説明する。図６は表示制御部４０の動作を示すフロー図である。
【００４７】
第１入力端末４１又は第２入力端末４２に付帯画像を表示する指示を受けた場合（ステップＳ２０１）、端末識別部４３が、入力元である操作部を判別する（ステップＳ２０２）。このステップ２０２において、操作部の判別が入力された情報に付された操作部の識別情報に基づくのは前述したステップＳ１０２と同じである。また、表示制御部４０の表示モードを定めるのも、前述したステップＳ１０２と同じである。
【００４８】
表示制御部４０は、表示モードの定めにより、付帯画像データ用記憶領域１１１から付帯画像データを取得する（ステップＳ２０３）。次に、表示制御部４０は、表示用画像と付帯画像とを重ね合わせた画像を作成する（ステップＳ２０４）。表示制御部４０は、表示モードの定めにより、重ね合わせた画像データを画面表示用データバッファ５１又は画面表示用データバッファ５２に記憶させ、第１表示部３１又は第２表示部３２に出力する（ステップＳ２０５）。
【００４９】
なお、上記ステップ２０３において、表示制御部４０が付帯画像データ用記憶領域１１１に記憶された付帯画像データを取得し、上記ステップ２０４において、表示制御部４０がその付帯画像データに基づき、表示用画像と付帯画像とを重ね合わせた画像を作成したが、これに限らない。例えば、表示制御部４０が、表示モードの定めにより、第１表示部用記憶領域１２１又は第２表示部用記憶領域１２２から付帯情報（描画条件）を取得し、付帯情報（描画条件）に基づいて、付帯画像データを作成し、その付帯画像と表示用画像とを重ね合わせた画像を作成しても良い。
【００５０】
また、前記実施形態では、操作部から入力された入力情報に含まれた識別情報に基づき、端末識別部４３が入力元である操作部を識別したが、入力情報を受けた端末識別部４３の入力ポートにより、操作部を識別しても良い。
【００５１】
前記実施の形態によれば、アプリケーションソフトウェアをメモリ（図示省略）に展開することにより、表示制御部４０は、操作部からの入力や指示を受けると表示モードを定め、定められた表示モードにより、表示部に表示させる付帯画像を作成する。既存の医用画像処理装置があった場合に、上記のアプリケーションソフトウェアを装置にインストールすることにより、表示制御部４０をそのように機能させることが可能となるので、ハードウェアを変更させる必要がない。
【図面の簡単な説明】
【００５２】
【図１】医用画像処理装置の機能ブロック図である。
【図２】画像データ記憶部の構成図である。
【図３】表示用画像データ及び付帯画像データを記憶するときの説明図である。
【図４】画像データ記憶部及び表示制御部の機能ブロック図である。
【図５】操作部から描画のための入力を受けたときの表示制御部の動作を示すフロー図である。
【図６】操作部による付帯画像の表示指示を受けたときの表示制御部の動作を示すフロー図である。
【符号の説明】
【００５３】
１０  画像データ記憶部    １０１  付帯情報記憶部    １０２  画素データ記憶部
１１０  第１記憶領域    １２０  第２記憶領域    １１１  付帯画像データ用記憶領域
１２１  第１表示部用記憶領域    １２２  第２表示部用記憶領域
２１  第１操作部    ２２  第２操作部    ３１  第１表示部    ３２  第２表示部
４０  表示制御部    ４１  第１入力端末    ４２  第２入力端末    ４３  端末識別部
４４  イベント発生制御部    ４５  条件取得部    ４６  データ制御部    
５１  画面表示用データバッファ    ５２  画面表示用データバッファ
【図１】
2010088768.tif 000003
【図２】
2010088768.tif 000004
【図３】
2010088768.tif 000005
【図４】
2010088768.tif 000006
【図５】
2010088768.tif 000007
【図６】
2010088768.tif 000008